(57)【特許請求の範囲】
【請求項１】
相互に係合するトップブロックとスライドブロックとを具えたスライドシートと、
該スライドブロックと連結されたスライドロッドと、
該スライドロッドの外側に設けられたスライドスリーブと、
該スライドスリーブの外側に設けられ、後部の外周に斜面を具え、スライドスリーブを緊迫挟持するか或いは釈放し、弾性を具えたスリーブクリップと、
該スリーブクリップの外側に設けられ、後部内周にスリーブクリップの後部外周の斜面と係合する斜面を具えたスリーブと、
該スリーブの外側に設けられた回転つまみと、
該回転つまみの内側に設けられてキーで回転つまみと接続され、後端がスライドロッドと接続され、外側にネジ山でスリーブが螺接され、スライドロッドとの間に軸受が設けられたガイドロッドと、
を具え、
スライドシートをテーパハンドル根部のスロット内の上端に挿入し、並びにスライドスリーブの端面をテーパハンドルの外側壁に当接させ、モーステーパハンドルから離れる方向に回転つまみを移動させることにより、スライドロッド、スリーブクリップ、スリーブ、ガイドロッドをモーステーパハンドルから離れる方向に連帯移動させ、その後、回転つまみの回動によるネジ山押動により、ガイドロッドに対しスリーブが移動し、スリーブクリップを介してスライドスリーブとスリーブが一体的となり、さらに回転つまみを回動させると、ネジ山押動により、スリーブに対しガイドロッド、スライドロッドが移動し、トップブロックが上昇しドリルを取り外すことができることを特徴とする、モーステーパハンドルリムーバー。
【請求項２】
前記スライドシートとスライドブロックの間が傾斜を有するあり溝で相互に係合することを特徴とする、請求項１に記載のモーステーパハンドルリムーバー。
【請求項３】
前記スリーブクリップとガイドロッドの間に相互に係合するテーパ面が設けられたことを特徴とする、請求項１に記載のモーステーパハンドルリムーバー。
【発明の詳細な説明】
【０００１】
【発明の属する技術分野】
本発明は一種のモーステーパハンドルリムーバーに係り、特にドリルを簡単に取り外すことができ、且つ操作使用上、相当に迅速で且つ楽で安全であるモーステーパハンドルリムーバーに関する。
【０００２】
【従来の技術】
モーステーパハンドル１（Ｍｏｈｓ  Ｔａｐｅｒｅｄ  Ｈａｎｄｌｅ）は、図１、２に示されるように、ドリル２を套設するのに用いられ、取り除く時には、三角鉄２１をテーパハンドルの根部スロット１１内に進入させ、さらにハンマで叩いてドリル２を取り外す。このような取外し方式は相当に手間と力を要し、且つ不注意から作業者の手を傷つけやすく、非常に危険であった。
【０００３】
【発明が解決しようとする課題】
本発明の主要な目的は、ドリルを簡単に取り除け、且つ取り除く時に従来より手間と力が要らず安全であるモーステーパハンドルリムーバーを提供することにより、従来の欠点を改善することにある。
【０００４】
【課題を解決するための手段】
請求項１の発明は、相互に係合するトップブロックとスライドブロックとを具えたスライドシートと、
該スライドブロックと連結されたスライドロッドと、
該スライドロッドの外側に設けられたスライドスリーブと、
該スライドスリーブの外側に設けられ、後部の外周に斜面を具え、スライドスリーブを緊迫挟持するか或いは釈放し、弾性を具えたスリーブクリップと、
該スリーブクリップの外側に設けられ、後部内周にスリーブクリップの後部外周の斜面と係合する斜面を具えたスリーブと、
該スリーブの外側に設けられた回転つまみと、
該回転つまみの内側に設けられてキーで回転つまみと接続され、後端がスライドロッドと接続され、外側にネジ山でスリーブが螺接され、スライドロッドとの間に軸受が設けられたガイドロッドと、
を具え、
スライドシートをテーパハンドル根部のスロット内の上端に挿入し、並びにスライドスリーブの端面をテーパハンドルの外側壁に当接させ、モーステーパハンドルから離れる方向に回転つまみを移動させることにより、スライドロッド、スリーブクリップ、スリーブ、ガイドロッドをモーステーパハンドルから離れる方向に連帯移動させ、その後、回転つまみの回動によるネジ山押動により、ガイドロッドに対しスリーブが移動し、スリーブクリップを介してスライドスリーブとスリーブが一体的となり、さらに回転つまみを回動させると、ネジ山押動により、スリーブに対しガイドロッド、スライドロッドが移動し、トップブロックが上昇しドリルを取り外すことができることを特徴とする、モーステーパハンドルリムーバーとしている。
請求項２の発明は、前記スライドシートとスライドブロックの間が傾斜を有するあり溝で相互に係合することを特徴とする、請求項１に記載のモーステーパハンドルリムーバーとしている。
請求項３の発明は、前記スリーブクリップとガイドロッドの間に相互に係合するテーパ面が設けられたことを特徴とする、請求項１に記載のモーステーパハンドルリムーバーとしている。
【０００５】
【発明の実施の形態】
図３を参照されたい。本発明のモーステーパハンドルリムーバーは、スライドシート３０を具え、その上に上下のトップブロック３１とスライドブロック３２が設けられ、該トップブロック３１とスライドブロック３２の間が傾斜を有するあり溝で係合している。さらに本発明のモーステーパハンドルリムーバーはスライドロッド３３を具え、該スライドロッド３３はスライドブロック３２と螺接されている。一つのスライドスリーブ３４が該スライドブロック３２の外側に設けられている。一つのスリーブクリップ３５（図４も参照されたい）が、該スライドスリーブ３４の外側に設けられ、内側端に内テーパ面３５１が形成されている。スリーブ３６（図４も参照されたい）が該スリーブクリップ３５の外側に設けられ、且つ両者の間に一段の相互に係合する斜面がある。一つの回転つまみ３７が、該スリーブ３６の外側に設けられ、並びにスリーブ３６の末端に当接している。さらにガイドロッド３８（図４も参照されたい）が該回転つまみ３７内に設けられ、前端に外テーパ面３８１が設けられて、該スリーブクリップ３５の内テーパ面３５１と係合している。
【０００６】
該スライドブロック３２とスライドスリーブ３４の間はネジ３９とスチールボール４０で連結位置決めされている。スライドロッド３３内部には止動片４１が設けられ、その末端にスチールボール４２が設けられ、且つスリーブリング４３及びネジ４４でガイドロッド３８と連結されている。スリーブ３６とガイドロッド３８の間は雄ネジと雌ネジにより螺接されている。回転つまみ３７とガイドロッド３８の間はフラットキー４５の挿入により連接され、スリーブクリップ３５、スリーブ３６及び回転つまみ３７の三者の前端とスライドスリーブ３４の間にエンドキャップ４６が設けられている。
【０００７】
以上の構造の組合せにより、本発明の使用待機の状態はほぼ図３に示されるようである。スリーブクリップ３５、スリーブ３６及び回転つまみ３７の三者はテーパハンドル１に近づく方向に移動した状態を呈し、スライドロッド３３とガイドロッド３８もまたテーパハンドル１に近づく方向に移動し、トップブロック３１は下降してスライドシート３０と平らに整合した状態を呈する。
【０００８】
使用時には、まずスライドシート３０をテーパハンドル１根部のスロット１１内の上端に挿入し、並びにスライドスリーブ３４の端面をテーパハンドル１の外側壁に当接させる。これは図３に示されるとおりである。さらに力を入れてテーパハンドル１から離れる方向に回転つまみ３７を移動させることにより、スライドロッド３３、スリーブクリップ３５、スリーブ３６、ガイドロッド３８をテーパハンドル１から離れる方向に連帯移動させ、これによりスライドブロック３２をテーパハンドル１に近づく方向に移動させ、トップブロック３１を上昇させる。これにより、速やかにスライドシート３０とドリル２上部の間の距離を縮めることができ、これは図５に示されるとおりである。その後、さらに時計回りの方向に回転つまみ３７を回すと、ガイドロッド３８とスリーブ３６のネジ山の押動により、スリーブ３６がそれ自身の弾性により僅かにスライドスリーブ３４を挟持する。さらに継続して回転つまみ３７を回して、スリーブ３６を連動させてその斜面によりスリーブクリップ３５を圧迫させることにより、完全にスライドスリーブ３４を緊迫挟持せしめる。この時スリーブ３６はそれ以上テーパハンドル１から離れる方向に移動できない。さらに回転つまみ３７を回すことにより、その回転力によりスライドロッド３３により左（図５の左側）にスライドブロック３２を押動させてトップブロック３１を上に移動させ、トップブロック３１の上向きに押動する力により、モーステーパハンドル１内に嵌め込まれたドリル２を取り外し、こうして簡単、迅速及び楽で安全な機能を達成する。これは図５に示されるとおりである。
【０００９】
逆に、回転つまみ３７を逆時計方向に最後まで回す時、ガイドロッド３８とスリーブ３６のネジ山の押動により、スリーブ３５とスライドスリーブ３４が離脱し、これと同時にスライドロッド３３が連動してテーパハンドル１から離れる方向に移動し、スライドブロック３２もこれに従いテーパハンドル１から離れる方向に移動し、トップブロック３１が連動して下降し、こうして図３に示される使用待機状態を回復する。
【００１０】
簡単に言うと、本発明は回転つまみ３７の回転により、ガイドロッド３８とスリーブ３６の雌雄のネジ山の変換押動を介して、回転つまみ３７、ガイドロッド３８、スリーブ３６、スリーブクリップ３５、スライドロッド３３及びスライドブロック３２を同期にテーパハンドル１から離れる方向或いはテーパハンドル１に近づく方向に移動させ、さらにトップブロック３１を上昇或いは下降させ、操作使用上、迅速で楽であり、並びに相当に安全であり、人の手を傷つける恐れがない。
【００１１】
【発明の効果】
１．スライドロッド３３とガイドロッド３８の間がスリーブリング４３とネジ４４で連結され、且つ自身の末端にもスチールボール４２が設けられ、軸受と同様の構造設計を形成し、ゆえにスライドロッド３３がガイドロッド３８の移動により移動するが、回転しない。
２．スリーブクリップ３５の外側にスリーブ３６が設けられ、両者の間に一段の係合斜面があり、且つスリーブ３６もまた回転移動可能とされ、内側にスライドスリーブ３４とガイドロッド３８が設けられ、且つガイドロッド３８との間にさらに斜面３５１、３８１が組み合わされている。これにより、回転つまみ３７を回すことによりガイドロッド３８を介してスリーブ３６が連動して共に回転する時、スリーブクリップ３５が弾性を発生し、これによりスライドスリーブ３４を挟み付けるか或いは釈放し、これによりトップブロック３１に上昇或いは下降の動作を発生させる。
【００１２】
総合すると、本発明の実施例は具体構造を掲載しており、その構造は今までにない新規性を有しており、並びに操作使用上、迅速で楽であり且つ安全である。ゆえに本発明の新規性と進歩性及び産業上の利用価値を有する発明であり、特許の要件を満たしている。
【図面の簡単な説明】
【図１】  周知のモーステーパハンドルとドリル結合時の斜視図である。
【図２】  周知のモーステーパハンドルよりドリルを取り外す時の断面図である。
【図３】  本発明の使用待機状態時の組合せ断面図である。
【図４】  本発明中のスリーブクリップ、スリーブ及びガイドロッドの分解断面図である。
【図５】  本発明の使用時の組合せ断面図である。
【符号の説明】
１  モーステーパハンドル          １１  スロット    ２  ドリル
２１  三角鉄                      ３０  スライドシート
３１  トップブロック              ３２  スライドブロック
３３  スライドロッド              ３４  スライドスリーブ
３５  スリーブクリップ            ３５１  内テーパ面
３６  スリーブ                    ３７  回転つまみ
３８  ガイドロッド                ３８１  外テーパ面
３９  ネジ                        ４０  スチールボール
４１  止動片                      ４２  スチールボール
４３  スリーブリング              ４４  ネジ山
４５  フラットキー                ４６  エンドキャップ
【図１】
0003660256.tif 000002
【図２】
0003660256.tif 000003
【図３】
0003660256.tif 000004
【図４】
0003660256.tif 000005
【図５】
0003660256.tif 000006